(57)【要約】【課題】交換レンズにおける絞りリングにおいて、小型で、容易に回転角度を設定できる交換レンズを提供する。【解決手段】被写体の光学的な像を形成する撮影光学系と、撮影光学系の光軸上の所定位置に設けられ、撮影光学系の絞り値を変更可能な絞り手段と、絞り手段を駆動する駆動手段と、撮影光学系の光軸に同軸の円筒形状であり、駆動手段で駆動して絞り装置の絞り値を変更するために手動により回転操作される絞り操作部材と、操作部材の回転角度に応じた検出値を出力する回転角度検出手段と、回転角度検出手段の検出値に応じた絞り値を記憶する記憶手段と、絞り操作部材の回転操作により検出された検出値により、記憶手段から絞り値を読み出し、駆動手段を制御する絞り制御手段とを備える。【選択図】図５
2008026526.tif 000002
【特許請求の範囲】
【請求項１】
被写体の光学的な像を電気的な画像信号に変換可能な撮像装置に用いられる交換レンズであって、
前記被写体の光学的な像を形成する撮影光学系と、
前記撮影光学系の光軸上の所定位置に設けられ、前記撮影光学系の絞り値を変更可能な絞り手段と、
前記絞り手段を駆動する駆動手段と、
前記撮影光学系の光軸に同軸の円筒形状であり、前記駆動手段で駆動して前記絞り装置の絞り値を変更するために手動により回転操作される絞り操作部材と、
前記操作部材の回転角度に応じた検出値を出力する回転角度検出手段と、
前記回転角度検出手段の検出値に応じた絞り値を記憶する記憶手段と、
前記絞り操作部材の回転操作により検出された検出値により、前記記憶手段から絞り値を読み出し、前記駆動手段を制御する絞り制御手段とを備えたことを特徴とする交換レンズ。
【請求項２】
撮影光学系の光軸上の所定位置に設けられ、前記撮影光学系の絞り値を変更可能な絞り手段と、前記絞り手段を駆動する駆動手段と、前記撮影光学系の光軸に同軸の円筒形状であり、前記駆動手段で駆動して前記絞り装置の絞り値を変更するために手動により回転操作される絞り操作部材と、前記絞り操作部材の回転角度に応じた検出値を出力する回転角度検出手段と、前記回転角度検出手段の検出値に応じた絞り値を記憶する記憶手段と、前記絞り操作部材の回転操作により検出された検出値により、前記記憶手段から絞り値を読み出し、前記駆動手段を制御する絞り制御手段とを備えた交換レンズの絞り操作部材の調整方法であって、
前記絞り操作部材の第１の回転角度にて、前記回転角度検出手段が出力する第１の回転角度検出値を記憶する第１の記憶工程と、
前記絞り操作部材の第２の回転角度にて、前記回転角度検出手段が出力する第２の回転角度検出値を記憶する第２の記憶工程と、
前記第１、第２の回転角度検出値により、前記絞り操作部材の回転角度に応じたすべての絞り値を算出し、記憶する第３の記憶工程と、
を含む交換レンズの絞り操作部材の調整方法。
【発明の詳細な説明】
【技術分野】
【０００１】
本発明は、撮像装置に関し、特に一眼レフデジタルカメラの交換レンズに関する。
【背景技術】
【０００２】
近年、被写体の光学的な像を電気的な画像信号に変換して出力可能な一眼レフデジタルカメラが、急速に普及している。この一眼レフデジタルカメラでは、撮影者等によるファインダを用いた被写体観察時には、撮影レンズに入射した光（すなわち被写体像）を、レンズの後の撮影用光路上に配置した反射ミラーで反射することにより光路を変更し、ペンタプリズム等を通して正像にして光学ファインダに導くことで、レンズを通した被写体像を光学ファインダから見ることができる。
【０００３】
また、撮影時の露出値を容易に変更するため、デジタルカメラ本体、あるいは交換レンズに、シャッタースピード、あるいは絞り値の設定を行う操作部材がそれぞれ搭載されている。この交換レンズに絞り値設定用の操作リングを搭載した交換レンズ式カメラは、例えば、特許文献１に開示されている。
【特許文献１】特開２００３−２９１３１号公報
【発明の開示】
【発明が解決しようとする課題】
【０００４】
従来の一眼レフ方式のカメラの絞りリングの回転角度検出部は、端子パターンと弾性金属部材により構成されている。固定リングの外周面に帯状のフレキシブル配線板が被着され、その配線板の上には導電膜からなる複数の端子パターンが円周方向に沿って所定間隔で配設されている。一方、回転操作部材である絞りリングの内面には、回転に伴って、上記各端子パターン上を接触しながら摺動する弾性金属部材からなる接片が固定されている。したがって、絞りリングの回転に伴って、直列接続される抵抗素子の数が変化し、出力端子からの操作部材の回転に対応して電位レベルが変化する信号が取り出せることにより、絞りリングの回転角度を検出できる構成となっている。
【０００５】
しかしながら従来の絞りリングの構成においては、複数の端子パターンを配設するための光軸方向のスペースが必要なため、端子パターンの幅が広くなり、絞りリングの光軸方向の幅を狭くできないため、交換レンズの小型化が困難であった。さらには、絞りリングの回転方向のステップ数（絞り値の検出数）が多くなると、直列接続される抵抗素子の数も増えるため、そのステップ数にも限界があり、例えば、Ｆ２からＦ２２までを、１／３ＡＶごと（全部で２２ステップ）にて検出するような多段階の検出には不向きであった。
【０００６】
そこで、本発明は、交換レンズの絞りリングの回転角度を検出する構成として、多段階検出に対応すると共に、交換レンズの小型化、さらには絞りリングの回転角度調整を容易に行うことができる絞りリングを搭載した交換レンズを提供することを目的とする。
【課題を解決するための手段】
【０００７】
本発明は、被写体の光学的な像を電気的な画像信号に変換可能な撮像装置に用いられるレンズ鏡筒であって、被写体の光学的な像を形成する撮影光学系と、撮影光学系の光軸上の所定位置に設けられ、撮影光学系の絞り値を変更可能な絞り手段と、絞り手段を駆動する駆動手段と、撮影光学系の光軸に同軸の円筒形状であり、駆動手段で駆動して絞り装置の絞り値を変更するために手動により回転操作される絞り操作部材と、絞り操作部材の回転角度に応じた検出値を出力する回転角度検出手段と、回転角度検出手段の検出値に応じた絞り値を記憶する記憶手段と、絞り操作部材の回転操作により検出された検出値により、記憶手段から絞り値を読み出し、駆動手段を制御する絞り制御手段とを備えたことを特徴とする交換レンズである。
【０００８】
さらに本発明は、撮影光学系の光軸上の所定位置に設けられ、撮影光学系の絞り値を変更可能な絞り手段と、絞り手段を駆動する駆動手段と、撮影光学系の光軸に同軸の円筒形状であり、駆動手段を駆動して絞り装置の絞り値を変更するために手動により回転操作される絞り操作部材と、絞り操作部材の回転角度に応じた検出値を出力する回転角度検出手段と、回転角度検出手段の検出値に応じた絞り値を記憶する記憶手段と、絞り操作部材の回転操作により検出された検出値により、記憶手段から絞り値を読み出し、駆動手段を制御する絞り制御手段とを備えた交換レンズの絞り操作部材の調整方法であって、絞り操作部材の第１の回転角度にて、前記回転角度検出手段から出力する第１の回転角度検出値を記憶する第１の記憶工程と、絞り操作部材の第２の回転角度にて、前記回転角度検出手段から出力する第２の回転角度検出値を記憶する第２の記憶工程と、第１、第２の回転角度検出値により、絞り操作部材の回転角度に応じたすべての絞り値を算出し、記憶する第３の記憶工程とを含むことを特徴とする交換レンズの絞り操作部材の調整方法である。
【発明の効果】
【０００９】
本発明によれば、一眼レフデジタルカメラにおいて、絞りリングのマニュアル操作部材を備えながら、絞りリングの回転角度検出に関する部品点数の削減、回転角度検出ステップ数の増加、交換レンズの小型化を図ると共に、工場などでの絞りリングの回転角度の調整を容易に行うことができる。
【発明を実施するための最良の形態】
【００１０】
以下本発明を実施するための最良の形態について、図面を参照しながら説明する。
【００１１】
（実施の形態１）
本発明の実施の形態１に係る交換レンズについて説明する。
【００１２】
図１に示すデジタルカメラは、交換レンズ式の一眼レフタイプのデジタルカメラ１である。交換レンズ２は、レンズマウント２１を有し、デジタルカメラ１のボディ前面に設けられたボディーマウント２３に着脱可能に装着される。交換レンズ２を通過した被写体光は、クイックリターンミラー４のメインミラー４ａにより２つの光束に分割され、反射光束はファインダ光学系１９へ導かれる。一方、透過光束は、クイックリターンミラー４の背面側に設けられたサブミラー４ｂで反射されて、焦点検出用ユニット５のＡＦ用光束として利用される。この焦点検出用ユニット５は、一般的には、位相差検出方式が使用される。
【００１３】
メインミラー４ａで反射された光束はファインダースクリーン６上に結像される。ファインダースクリーン６上に結像された被写体像は、ペンタプリズム７および接眼レンズ８ を介してファインダ接眼窓９から観察することができる。
【００１４】
撮影モードにおいては、図２に示すように、クイックリターンミラー４は、光路Ｘ内の所定位置に配置されているため、撮影者等は、ファインダ接眼窓９から被写体像を観察することができる。実際の撮影時には、クイックリターンミラー４が光路Ｘ外に跳ね上げられるとともに、シャッターユニット１０が開かれて撮像センサ１１の撮像面上に被写体像が結像される。
【００１５】
デジタルカメラ１内には、各種シーケンスをコントロールするボディーマイコン１２が搭載されている。撮像センサ制御部１３は、撮像センサ１１の駆動制御を行う。シャッター制御部１４は、シャッターユニット１０の駆動制御を行う。画像表示用の画像表示制御部１５は、撮像センサ１１より画像データを読み出し、所定の画像処理後、表示モニタ１６へ撮影画像を表示するよう制御する。また、画像記録制御部１７は、図示せぬＳＤカードなどの記録媒体に対して、画像読み出し／記録部１８を介して、撮影画像の読み書きを行う。
【００１６】
着脱可能な交換レンズ２は、デジタルカメラ１内の撮像センサ１１に被写体像を結ぶための撮影光学系Ｌを有する。また交換レンズ２内の各種シーケンスをコントロールし、各種レンズ情報を内蔵したレンズマイコン２０が搭載されている。交換レンズ２内には、フォーカスレンズ群２５を駆動制御するフォーカス制御部２６が搭載されている。さらに、絞りユニット２８を制御する絞り制御部２７が搭載されている。
【００１７】
また、デジタルカメラ１と交換レンズ２とは、それぞれに設けられた交換レンズ２側のレンズマウント２１の電気切片２１ａ（図示せず）、デジタルカメラ１側のボディーマウント２３の電気切片２３ａ（図示せず）を介して、各種の制御信号の通信が行われる。
【００１８】
図３は、本発明の実施の形態１に係る交換レンズ２を取り付けたデジタルカメラ１の上面図である。
【００１９】
デジタルカメラ１本体は、被写体を撮影する際に撮影者等により支持される筐体である。このデジタルカメラ１は、レリーズボタン３０と、シャッタースピード設定ダイヤル３１とを含む。レリーズボタン３０と、シャッタースピード設定ダイヤル３１とは、デジタルカメラ１本体の上面の右側に設けられている。
【００２０】
シャッタースピード設定ダイヤル３１は、回転操作することにより、シャッタースピードの設定を行う操作部材である。また、シャッタースピード設定ダイヤル３１は、シャッタースピードが自動設定されるオートの位置を有する。
【００２１】
また、デジタルカメラ１本体は、表示モニタ１６を含む。表示モニタ１６は、デジタルカメラ１本体の撮影者等側の面に設けられている。表示モニタ１６の作用については後述する。
【００２２】
交換レンズ２は、最も被写体側に、フィルタマウント３７を持つ。交換レンズ２は、フィルタマウント３７からデジタルカメラ１本体側へ（Ｚ軸の負の方向）向けて順に、ズームリング３８と、フォーカスリング３９と、絞りリング４０とを有する。ズームリング３８と、フォーカスリング３９と、絞りリング４０とは、いずれも円筒状の回転操作部材であり、交換レンズ２の外周面において回転可能に配置されている。
【００２３】
図４は、本発明の実施の形態１に係るデジタルカメラ１の背面図である。デジタルカメラ１本体は、電源ボタン７０、撮影／再生モード切り替えレバー７１、ＭＥＮＵボタン７２、十字操作キー７３、ＳＥＴボタン７４、絞込みモードボタン７６、機能ボタン（１）７７、及び機能ボタン（２）７８とを含む。
【００２４】
電源ボタン７０は、デジタルカメラ１の電源のＯＮ／ＯＦＦを行う操作部材である。撮影／再生モード切り替えレバー７１は、レバーの切り替えを行うことにより、撮影モードと再生モードとの切り替えを行う操作部材である。ここで、撮影モードとは、デジタルカメラ１において、被写体を新たに撮影して画像信号にするために設定されるモードである。また、再生モードとは、デジタルカメラ１において、既に撮影して格納されている画像信号を表示するために設定されるモードである。
【００２５】
ＭＥＮＵボタン７２は、表示モニタ１６に、各種操作メニューを表示させるための操作部材である。十字操作キー７３は、上下、左右の矢印キーを有し、各種操作メニューの表示項目を選択するための操作部材である。ＳＥＴボタン７４は、各種操作メニューの表示項目を確定するための操作部材である。絞込みモードボタン７６は、このボタンを押すことにより、後述する絞込みモードへと移行する。機能ボタン（１）７７、機能ボタン（２）７８は、それぞれによく使う撮影／再生時のメニューを割り当てる。
【００２６】
絞りリング４０は、円筒形状である。図５（ａ）は、本発明の実施の形態１に係る絞りリング４０の外周面の展開図、図５（ｂ）は、本発明の実施の形態１に係る絞りリング４０の内周面の展開図である。
【００２７】
図３、図５（ａ）において、絞りリング４０は、外周面に絞り値を表示する。絞り値の表示領域は２つの領域に分かれている。図５（ａ）中、［２］から［１１］までの１ＡＶごとの表示部分がマニュアル領域に対応する。また、図５（ａ）中、［Ａ］の表示部分がオート領域に対応する。図３、図５（ｂ）において、絞りリング４０は、内周面に直線のカム溝４２を持つ。
【００２８】
また、交換レンズ２は、その内部に絞りユニット２８を有する。絞りユニット２８は、内部に絞り羽根２８ａ（図示せず）を駆動するための絞り駆動モータ２８ｂを含む。絞り駆動モータ２８ｂは、後述する制御により、絞りリング４０の回転角度に応じて絞り羽根２８ａを駆動する。この絞り羽根２８ａが駆動されることにより、撮影光学系Ｌの絞り値が変更される。
【００２９】
図６は、本発明の実施の形態１に係る絞りリングと絞りリニアセンサの結合を示す断面図である。絞りリニアセンサ４１は、外周方向に突出する円筒形状の摺動子４１ａを含む。絞りリング４０に形成されたカム溝４２は、絞りリニアセンサ４１の摺動子４１ａと結合する。
【００３０】
この絞りリニアセンサ４１の回路構成は、図７（ａ）に示すように可変抵抗器であり、端子１，３間に所定の電圧を印加すると、絞りリニアセンサ４１に設けられた円筒状の摺動子４１ａが、抵抗体（図示せず）上をスライドすることにより、端子２の出力は図７（ｂ）に示すようにリニアに変化する。
【００３１】
図８は、本発明の実施の形態１に係る絞りリング４０の回転角度と絞りリニアセンサ４１の出力値の関係を示すグラフである。図５において、絞りリング４０上に表示された文字［２］が、指標３３と一致する角度に位置する場合、絞りリニアセンサ４１の摺動子４１ａは、カム溝４２上のＰの位置にある。その場合、絞りリニアセンサ４１の出力値は、Ｐ’となる。絞りリング４０上に表示された文字［２．８］が、指標３３と一致する角度に位置する場合、絞りリニアセンサ４１の摺動子４１ａは、カム溝４２上のＱの位置にある。その場合、絞りリニアセンサ４１の出力値は、Ｑ’となる。同様に、絞りリング４０上に表示された文字［４］が、指標３３と一致する角度に位置する場合、絞りリニアセンサ４１の摺動子４１ａは、カム溝４２上のＲの位置にある。その場合、絞りリニアセンサ４１の出力値は、Ｒ’となる。同様に、絞りリング４０上に表示された文字［５．６］が、指標３３と一致する角度に位置する場合、絞りリニアセンサ４１の摺動子４１ａは、カム溝４２上のＳの位置にある。その場合、絞りリニアセンサ４１の出力値は、Ｓ’となる。同様に、絞りリング４０上に表示された文字［８］が、指標３３と一致する角度に位置する場合、絞りリニアセンサ４１の摺動子４１ａは、カム溝４２上のＴの位置にある。その場合、絞りリニアセンサ４１の出力値は、Ｔ’となる。同様に、絞りリング４０上に表示された文字［１１］が、指標３３と一致する角度に位置する場合、絞りリニアセンサ４１の摺動子４１ａは、カム溝４２上のＵの位置にある。その場合、絞りリニアセンサ４１の出力値は、Ｕ’となる。同様に、絞りリング４０上に表示された文字［Ａ］が、指標３３と一致する角度に位置する場合、絞りリニアセンサ４１の摺動子４１ａは、カム溝４２上のＶの位置にある。その場合、絞りリニアセンサ４１の出力値は、Ｖ’となる。
【００３２】
このように、絞りリニアセンサ４１は、絞りリング４０の回転角度と一対一で対応する出力を示す。したがって、絞りリング４０の回転角度を検出することができる。絞りリニアセンサ４１は、回転角度に応じた絞り値信号を電圧変化として出力する。
【００３３】
絞りリング４０は、外周面に絞りモード切り替えボタン４３を持つ。絞りモード切り替えボタン４３の構造を、図９（ａ）〜（ｃ）を用いて説明する。
【００３４】
なお、絞りリング４０において、第１の停止位置は図５（ａ）において、文字［１１］に相当する位置である。絞りリング４０において、第２の停止位置は図５（ａ）において、文字［Ａ］に相当する位置である。
【００３５】
図９（ａ）において、絞りリング４０が第１の停止位置に到達すると、絞りモード切り替えボタン４３の係止部４３ａが、リング固定枠３６（図示せず）に設けられた係止部３６ａに当接する。したがって、絞りモード切り替えボタン４３が操作されない限り、絞りリング４０のＫ方向の回転は禁止される。
【００３６】
絞りリング４０が第１の停止位置にある場合、絞りモード切り替えボタン４３を押し込んでさらにＫ方向に回転すると、絞りモード切り替えボタン４３の係止部４３ａが内部に押し込まれる。リング固定枠３６に形成された係止部３６ａは、内部に絞りモード切り替えボタン４３の係止部４３ａが通過可能な空間が形成されている。したがって、絞りモード切り替えボタン４３は、押し込んでさらにＫ方向に回転するとＫ方向の回転が許容され、図９（ｂ）に示される第１の停止位置と第２の停止位置との間に進入する。
【００３７】
絞りモード切り替えボタン４３を押し込んだままさらにＫ方向に回転すると、絞りモード切り替えボタン４３の係止部４３ａは、Ｋ方向の回転が許容され、図９（ｃ）に示される第２の停止位置に到達する。第２の停止位置において、絞りモード切り替えボタン４３を押し込むことを止めると、絞りモード切り替えボタン４３は圧縮バネにより復元される。
【００３８】
絞りモード切り替えボタン４３がもとの状態に戻ると、絞りモード切り替えボタン４３の係止部４３ａが、リング固定枠３６に設けられた係止部３６ａに当接する。したがって、絞りモード切り替えボタン４３が操作されない限り、絞りリング４０の逆方向の回転は禁止される。Ｋ方向の逆方向に回転する場合、第２の停止位置で絞りモード切り替えボタン４３を押し込みながら第１の停止位置までＫ方向の逆方向に回転して、第１の停止位置で押し込みをやめればよい。
【００３９】
絞りリング４０は、回転位置に応じて、手動により回転操作が許容される状態と手動による回転操作が禁止される状態とが存在する。絞りリング４０は、指標３３が、図５（ａ）中、［２］から［１１］の表示部分と一致している場合、手動による回転操作が許容される。
【００４０】
絞りリング４０の回転が許容されている状態で、絞りリング４０が回転操作されると、絞りリニアセンサ４１は、回転角度に応じた絞り値信号を出力する。後述する制御系において、絞り値信号に基づいて絞り駆動モータ２８ｂを駆動する駆動信号が生成される。駆動信号により絞り駆動モータ２８ｂが回転する。絞り駆動モータ２８ｂが回転すると、絞り羽根が駆動され、絞り羽根の動作により撮影光学系Ｌの絞り値が変更される。
【００４１】
絞りリング４０は、指標３３が、図５（ａ）中、［Ａ］の表示部分と一致している場合、手動による回転操作が禁止される。絞りリング４０の回転が禁止されている状態では、絞りリング４０は回転しないので、手動による回転操作により絞り羽根が駆動され、絞り値が変更されることはない。絞りリング４０の回転が許容されている状態から禁止されている状態へ移行させるには、絞りリング４０に設けられた絞りモード切り替えボタン４３を押し込みながら絞りリング４０を回転させる。
【００４２】
絞りモード切り替えボタン４３を押し込みながら絞りリング４０を回転させると、図９（ａ）〜（ｃ）を用いて説明したように、絞りリング４０が係止位置である指標３３が文字［１１］の表示に一致する位置を超えて回転する。その後、絞りモード切り替えボタン４３を解放すると、絞りリング４０は、次の係止位置である指標３３が文字［Ａ］の表示に一致する位置で係止される。
【００４３】
逆に、絞りリング４０の回転が禁止されている状態から許容されている状態へ移行させるには、同様に絞りリング４０に設けられた絞りモード切り替えボタン４３を押し込みながら絞りリング４０を回転させる。
【００４４】
絞りモード切り替えボタン４３を押し込みながら絞りリング４０を回転させると、図９（ａ）〜（ｃ）を用いて説明したように、絞りリング４０が係止位置である指標３３が文字［Ａ］の表示に一致する位置を超えて回転する。その後、絞りモード切り替えボタン４３を解放すると、絞りリング４０は、手動による回転操作が許容される状態になる。ただし、絞りリング４０は、係止位置である指標３３が文字［１１］の表示に一致する位置を超えては回転しない。
【００４５】
また絞りリング４０は、内周面に［２．８］，［４］，［５．６］，［８］，［１１］，［Ａ］の文字と指標３３と一致したときに、撮影者等がクリック感を持つように、Ｖ溝列４０ｃ（図示せず）が形成されている。また、Ｖ溝列４０ｃと対応するように、リング固定枠３６の外周には、圧縮バネとクリックボールを収納する穴３６ｈ（いずれも、図示せず）が設けられている。
【００４６】
次に、絞りリング４０の回転角度に対する出力値について説明する。絞りリング４０の回転角度に応じた出力値については、その回転角度に応じたリニアの出力を得ることが可能である。したがって、Ａ／Ｄ変換部６７として、例えば１０ＢｉｔのＡ／Ｄ変換器（０〜１０２３）を使用することにより、絞りリング４０の回転角度に応じた番地を定義することができる。
【００４７】
図５（ｂ）に示すように、絞りリング４０の回転角度（Ｆ２〜Ａの位置）をθとする。この時、絞りリング４０の出力値とＡ／Ｄ変換値（以下、Ａ／Ｄ変換値をＤとする。）との関係を図１０に示す。絞りリング４０上に表示された文字［２］が、指標３３と一致する角度に位置する場合（θ＝０°）、その出力値はＰ’であり、その時のＡ／Ｄ変換値Ｄ（２）を２２とする。また、このＡ／Ｄ変換値Ｄ（２）の値２２を中心値とし、その回転角度許容範囲を１２から７２とする。すなわち、Ａ／Ｄ変換値Ｄが１２から７２である場合は、絞り値がＦ２であることを検出することが可能となる。同様に、絞りリング４０上に表示された文字［２．８］が、指標３３と一致する角度に位置する場合（θ＝１２°）、その出力値はＱ’であり、その時のＡ／Ｄ変換値Ｄ（２．８）を１６２とする。また、このＡ／Ｄ変換値Ｄ（２．８）の値１６２を中心値とし、その回転角度許容範囲を１１２から２１２とする。同様に、絞りリング４０上に表示された文字［４］が、指標３３と一致する角度に位置する場合（θ＝２４°）、その出力値はＲ’であり、その時のＡ／Ｄ変換値Ｄ（４）を３０２とする。また、このＡ／Ｄ変換値Ｄ（４）の値３０２を中心値とし、その回転角度許容範囲を２５２から３５２とする。同様に、絞りリング４０上に表示された文字［５．６］が、指標３３と一致する角度に位置する場合（θ＝３６°）、その出力値はＳ’であり、その時のＡ／Ｄ変換値Ｄ（５．６）を４４２とする。また、このＡ／Ｄ変換値Ｄ（５．６）の値４４２を中心値とし、その回転角度許容範囲を３９２から４９２とする。同様に、絞りリング４０上に表示された文字［８］が、指標３３と一致する角度に位置する場合（θ＝４８°）、その出力値はＴ’であり、その時のＡ／Ｄ変換値Ｄ（８）を５８２とする。また、このＡ／Ｄ変換値Ｄ（８）の値５８２を中心値とし、その回転角度許容範囲を５３２から６３２とする。同様に、絞りリング４０上に表示された文字［１１］が、指標３３と一致する角度に位置する場合（θ＝６０°）、その出力値はＵ’であり、その時のＡ／Ｄ変換値Ｄ（１１）を７２２とする。また、このＡ／Ｄ変換値Ｄ（１１）の値７２２を中心値とし、その回転角度許容範囲を６７２から７７２とする。同様に、絞りリング４０上に表示された文字［Ａ］が、指標３３と一致する角度に位置する場合（θ＝８４°）、その出力値はＶ’であり、その時のＡ／Ｄ変換値Ｄ（Ａ）を１００２とする。また、このＡ／Ｄ変換値Ｄ（Ａ）の値１００２を中心値とし、その回転角度許容範囲を９５２から１０１２とする。なお、Ａ／Ｄ変換値が割り当てられていない領域については、不感帯とし、その説明は後ほど行う。
【００４８】
次に、絞りリング４０の回転角度に応じた出力値を設定する工場での調整モードについて、図１１に示すフローチャートを用いて説明する。
【００４９】
まず、絞りリング４０を回転させ、絞りリング４０上に表示された文字［２］を指標３３と一致させる（ＳＴＥＰ１）。ここでＡ／Ｄ変換値は、図１０にて説明した内容により２２となるので、この数値を交換レンズ２のレンズマイコン２０に設けられたメモリ６９に記憶させる（ＳＴＥＰ２）。よって、絞り値Ｆ２の際のＡ／Ｄ変換値は、次式（１）の値として割り当てられる。
【００５０】
Ｄ（２）＝Ｐ’                ・・・（１）
次に、絞りリング４０を回転させ、絞りリング４０上に表示された文字［１１］を指標３３と一致させる（ＳＴＥＰ３）。ここでＡ／Ｄ変換値は、７２２となるので、この数値を交換レンズ２のレンズマイコン２０に設けられたメモリ６９に記憶させる（ＳＴＥＰ４）。よって、絞り値Ｆ１１の際のＡ／Ｄ変換値は、次式（２）の値として割り当てられる。
【００５１】
Ｄ（１１）＝Ｕ’              ・・・（２）
次に、この２つのＡ／Ｄ変換値を用いて、その他の絞り値のＡ／Ｄ変換値の算出を行う。算出は、次式（３）に基づいて行う。
【００５２】
絞り値１ＡＶ当たりのＡ／Ｄ変換値は、本実施の形態においては、Ｆ２からＦ１１まで５ＡＶ分であるので、式（１）、（２）を用い、次式（３）にて求めることができる（ＳＴＥＰ５）。
【００５３】
ΔＤ＝（Ｕ’−Ｐ’）／５    ・・・（３）
よって、Ｆ２．８からＦ８までのＡ／Ｄ変換値については、レンズマイコン２０により、Ｆ２とＦ１１のＡ／Ｄ変換値より求めた式（３）のΔＤを用い、下記のように内挿法を用いて求めることができる。
【００５４】
Ｄ（２．８）＝Ｄ（２）＋ΔＤ  ・・・（４）
Ｄ（４）＝Ｄ（２．８）＋ΔＤ  ・・・（５）
Ｄ（５．６）＝Ｄ（４）＋ΔＤ  ・・・（６）
Ｄ（８）＝Ｄ（５．６）＋ΔＤ  ・・・（７）
以上のＡ／Ｄ変換値を用いることにより、レンズマイコン２０は、絞り値Ｆ２からＦ１１までのすべてのＡ／Ｄ変換値を設定する（ＳＴＥＰ６）。また同時に、図１０に示すように、それぞれの絞り値における回転角度許容範囲のＡ／Ｄ変換値についても自動的に設定する。
【００５５】
次に、絞り値Ａの設定方法について説明する。絞り値Ａは、これまで算出したＡ／Ｄ変換値を用い、次式（８）のように外挿法を用いることにより求めることができる。
【００５６】
Ｄ（Ａ）＝Ｄ（１１）＋２ΔＤ  ・・・（８）
以上のＡ／Ｄ変換値を用いることにより、レンズマイコン２０は、絞り値ＡのＡ／Ｄ変換値を設定する（ＳＴＥＰ７）。また同時に、図１０に示すように、絞り値Ａにおける回転角度許容範囲のＡ／Ｄ変換値についても設定する。
【００５７】
以上のように、絞り値Ｆ２とＦ１１における２箇所の検出値のみを用いて計算処理を行うことにより、絞りリングのすべての絞り値を短時間で、しかも容易に設定することが可能となる。
【００５８】
図１２は、本発明の実施の形態１に係るデジタルカメラ１の制御システムを示すブロック図である。
【００５９】
ボディーマイコン１２は、レリーズボタン３０と、シャッタースピード設定ダイヤル３１と、撮影／再生モード切り替えレバー７１と、ＭＥＮＵボタン７２と、十字操作キー７３と、ＳＥＴボタン７４と、撮影モード切り替えボタン７５と、絞込みモードボタン７６と、機能ボタン（１）７７と、機能ボタン（２）７８から信号を受信可能である。また、ボディーマイコン１２は、シャッター制御部１４と、クイックリターンミラー制御部７９へ信号を送信可能である。さらに、ボディーマイコン１２は、画像記録制御部１７と、画像表示制御部１５と、デジタル信号処理部５３との間で信号を相互に交信可能である。また、ボディーマイコン１２は、信号を格納するメモリ６８を持つ。
【００６０】
シャッター制御部１４は、ボディーマイコン１２からの制御信号に基づいてシャッター駆動モータ１０ａを駆動する。クイックリターンミラー制御部７９は、ボディーマイコン１２からの制御信号に基づき、クイックリターンミラー駆動モータ８０を駆動する。
【００６１】
レリーズボタン３０は、ボディーマイコン１２へシャッタータイミングを送信する。シャッタースピード設定ダイヤル３１は、設定されたシャッタースピード情報及びシャッターモード情報を送信する。
【００６２】
撮像センサ１１は、ＣＣＤ（Ｃｈａｒｇｅ  Ｃｏｕｐｌｅｄ  Ｄｅｖｉｃｅ）等である。撮像センサ１１は、交換レンズ２の撮影光学系Ｌにより形成される光学的な像を電気的な画像信号に変換する。撮像センサ１１は、撮像センサ制御部１３により駆動制御される。撮像センサ１１から出力される画像信号は、アナログ信号処理部５１と、Ａ／Ｄ変換部５２と、デジタル信号処理部５３と、バッファメモリ５４と、画像圧縮部５６との順に処理される。
【００６３】
画像信号は、撮像センサ１１から、アナログ信号処理部５１へ送信される。アナログ信号処理部５１は、撮像センサ１１が出力する画像信号に、ガンマ処理等のアナログ信号処理を施す。画像信号は、アナログ信号処理部５１から、Ａ／Ｄ変換部５２へ送信される。Ａ／Ｄ変換部５２は、アナログ信号処理部５１から出力されたアナログ画像信号をデジタル信号に変換する。
【００６４】
画像信号は、Ａ／Ｄ変換部５２から、デジタル信号処理部５３へ送信される。デジタル信号処理部５３は、Ａ／Ｄ変換部５２によりデジタル信号に変換された画像信号のノイズ除去や輪郭強調等のデジタル信号処理を施す。画像信号は、デジタル信号処理部５３から、バッファメモリ５４へ送信される。バッファメモリ５４は、デジタル信号処理部５３により処理された画像信号を一旦記憶する。バッファメモリ５４は、ＲＡＭ（Ｒａｎｄｏｍ  Ａｃｃｅｓｓ  Ｍｅｍｏｒｙ）である。
【００６５】
画像信号は、画像記録制御部１７からの指令に従って、バッファメモリ５４から、画像圧縮部５６に送信される。画像圧縮部５６は、画像記録制御部１７の指令に従って画像信号のデータを所定の大きさに圧縮する。画像信号は、所定の比率でデータの圧縮を受け、元のデータより小さなデータサイズになる。例えばこの圧縮方式として、ＪＰＥＧ（Ｊｏｉｎｔ  Ｐｈｏｔｏｇｒａｐｈｉｃ  Ｅｘｐｅｒｔｓ  Ｇｒｏｕｐ）方式が用いられる。
【００６６】
圧縮された画像信号は、画像圧縮部５６から画像読み出し／記録部１８及び表示モニタ１６へ送信される。一方、ボディーマイコン１２は、画像記録制御部１７及び画像表示制御部１５へ制御信号を送信する。画像記録制御部１７は、ボディーマイコン１２からの制御信号に基づいて画像読み出し／記録部１８を制御する。画像表示制御部１５は、ボディーマイコン１２からの制御信号に基づいて表示モニタ１６を制御する。
【００６７】
画像読み出し／記録部１８は、画像記録制御部１７の指令に基づいて、画像信号を内部メモリ及び／又はリムーバブルメモリに記録する。画像読み出し／記録部１８は、画像記録制御部１７の指令に基づいて、画像信号とともに記憶すべき情報を、内部メモリ及び／又はリムーバブルメモリに記録する。画像信号とともに記憶すべき情報は、画像を撮影した際の日時、焦点距離情報、シャッタースピード情報、絞り値情報、撮影モード情報を含む。
【００６８】
表示モニタ１６は、画像表示制御部１５の指令に基づいて、画像信号を可視画像として表示する。表示モニタ１６は、画像表示制御部１５の指令に基づいて、画像信号とともに表示すべき情報を、表示する。画像信号とともに表示すべき情報は、焦点距離情報、シャッタースピード情報、絞り値情報、撮影モード情報、合焦状態情報、及び交換レンズ２の絞りリング４０の有無、絞り値の設定ステップ、設定幅等の表示を含む。
【００６９】
また、表示モニタ１６は、画像表示制御部１５の指令に基づいて、所定の撮影／再生モードにおいて、撮影者等により設定されるべき設定画面を表示する。
【００７０】
撮影者等が撮影する場合には、電源ボタン７０をＯＮにし、撮影／再生モード切り替えレバー７１を撮影モードに合わせる。これによりデジタルカメラ１本体の電源が入り、表示モニタ１６には、撮像センサ１１により電気的な画像信号に変換された被写体が可視画像として、画像表示制御部１５の指令に基づいて表示される。
【００７１】
デジタルカメラ１が撮影モードにある状態において、撮影者等がＭＥＮＵボタン７２を押すと、表示モニタ１６は、画像表示制御部１５の指令に基づき、撮影モードにおいて撮影者等により変更可能な設定の項目をアイコン化した設定メニュー画像を表示する。
【００７２】
図１３は、本発明の実施の形態１に係る交換レンズ２内の制御システムを示すブロック図である。
【００７３】
レンズマイコン２０は、ズーム制御部６２と、フォーカス制御部２６と、絞り制御部２７との間で信号を相互に交信可能である。
【００７４】
ズーム制御部６２は、ズームリニアセンサ６０から、Ａ／Ｄ変換部６１を介して、信号を受信可能である。ズーム制御部６２は、ズームリニアセンサ６０により検出されたズームリング３８の回転量を撮影光学系Ｌの焦点距離情報に変換する。ズーム制御部６２は、焦点距離情報をレンズマイコン２０へ送信する。
【００７５】
フォーカス制御部２６は、フォーカスリニアセンサ６３から信号を受信可能であり、Ａ／Ｄ変換部６４を介して、フォーカス駆動モータ６５へ信号を送信可能である。フォーカス制御部２６は、フォーカスリニアセンサ６３により検出され、Ａ／Ｄ変換部６４によりデジタル化されたフォーカスリング３９の回転角度より、フォーカスモードを判断する。フォーカス制御部２６は、判断した結果をレンズマイコン２０へ送信する。フォーカス制御部２６は、レンズマイコン２０からの指令に基づいてフォーカスリング３９の回転角度より検出した物点距離情報を、レンズマイコン２０へ送信する。フォーカス制御部２６は、レンズマイコン２０からの制御信号に基づいてフォーカス駆動モータ６５を駆動する。
【００７６】
絞り制御部２７は、絞りリニアセンサ４１から信号を受信可能であり、Ａ／Ｄ変換部６７を介して、絞り駆動モータ２８ｂへ信号を送信可能である。絞り制御部２７は、絞りリニアセンサ４１により検出され、Ａ／Ｄ変換部６７によりデジタル化された絞りリング４０の回転角度により、絞りモードを判断する。絞り制御部２７は、判断した結果をレンズマイコン２０へ送信する。絞り制御部２７は、レンズマイコン２０からの指令に基づいて絞りリング４０の回転角度より検出した絞り値情報を、レンズマイコン２０に送信する。絞り制御部２７は、レンズマイコン２０からの制御信号に基づいて絞り駆動モータ２８ｂを駆動する。
【００７７】
レンズマイコン２０内のメモリ６９には、交換レンズ２ごとの各種プログラム、あるいは焦点距離及び被写体までの距離とフォーカスレンズ群２５の移動量との関係を示すデータや、絞りリング４０の搭載有無、絞り値の設定ステップ、設定幅等のデータなどが記憶されている。
【００７８】
図２に基づき、撮影者等が、ファインダ接眼窓９を覗いて撮影するファインダ撮影モードにおける駆動シーケンスについて説明する。
【００７９】
撮影者等のレリーズボタン３０の半押し動作により、デジタルカメラ１内のボディーマイコン１２および各種ユニットには、電源が供給される。電源供給により起動するデジタルカメラ１内のボディーマイコン１２は、同じく電源供給で起動する交換レンズ２内のレンズマイコン２０より、レンズマウント２１、ボディーマウント２３を介して、各種レンズデータを受け取り、内蔵するメモリ６８に保存する。次に、ボディーマイコン１２は、焦点検出用ユニット５より、焦点ずれ量（以後、Ｄｆ量という）を取得し、そのＤｆ量分、フォーカスレンズ群２５を駆動するようレンズマイコン２０に指示する。レンズマイコン２０は、フォーカス制御部２６をコントロールして、Ｄｆ量分だけフォーカスレンズ群２５を動作させる。このように焦点検出とフォーカスレンズ群２５の駆動を繰り返すうち、Ｄｆ量は小さくなり、所定量以下になった時に合焦と判断し、フォーカスレンズ群２５の駆動を止める。
【００８０】
この後、ボディーマイコン１２は、レリーズボタン３０の全押し動作により、レンズマイコン２０に不図示の測光センサからの出力に基づいて計算された絞り値にするよう指示する。そして、レンズマイコン２０は、絞り制御部２７をコントロールし、指示された絞り値まで、絞りを絞り込む。絞り値の指示と同時にボディーマイコン１２は、クイックリターンミラー制御部７９により、クイックリターンミラー４の光路Ｘ内からの退避を行う。退避完了後、撮像センサ制御部１３は、撮像センサ１１の駆動を指示し、シャッターユニット１０の動作を指示する。なお、撮像センサ制御部１３は、不図示の測光センサからの出力に基づいて計算されたシャッタースピードの時間だけ、撮像センサ１１を露光する。
【００８１】
露光完了後、撮像センサ制御部１３は、撮像センサ１１より画像データを読み出し、所定の画像処理後、画像表示用の表示モニタ１６へ撮影画像を表示するよう制御し、また、画像読み出し／記録部１８を介して、記憶媒体に画像データを書き込む。また、露光終了後、クイックリターンミラー４とシャッターユニット１０を初期位置にリセットする。ボディーマイコン１２は、レンズマイコン２０へ、絞りを開放位置にリセットするよう指示し、レンズマイコン２０は、各ユニットにリセット命令を行う。リセット完了後、レンズマイコン２０は、ボディーマイコン１２にリセット完了を伝える。ボディーマイコン１２は、レンズマイコン２０からのリセット完了情報と露光後の一連処理の完了を待ち、その後、レリーズボタン３０の状態が、押し込みされていないことを確認し、撮影シーケンスを終了する。
【００８２】
次に、図４、図１０を用いて、デジタルカメラ１の露出設定動作について説明する。デジタルカメラ１は、通常撮影領域に対して自動で露出設定を行うプログラム撮影モードと、シャッタースピードを手動で設定するシャッタースピード優先撮影モードと、絞り値を手動で設定する絞り優先撮影モードと、シャッタースピード及び絞り値を両方とも手動で設定するマニュアル撮影モードとの４つの露出設定モードを持つ。
【００８３】
デジタルカメラ１の操作を行う撮影者等は、絞りリング４０を所定の回転角度とシャッタースピード設定ダイヤル３１の回転角度とを組み合わせて設定することにより、４つの露出設定モードを選択することができる。すなわち、撮影者等は、絞りリング４０の文字［Ａ］を指標３３と一致させた状態で、シャッタースピード設定ダイヤル３１をオートの位置に合わせると、プログラム撮影モードに設定可能である。撮影者等は、絞りリング４０の文字［Ａ］を指標３３と一致させた状態で、シャッタースピード設定ダイヤル３１をマニュアル設定可能な位置に合わせると、シャッタースピード優先撮影モードに設定可能である。撮影者等は、絞りリング４０の文字［２］〜［１１］のいずれかを指標３３と一致させた状態で、シャッタースピード設定ダイヤル３１をオートの位置に合わせると、絞り優先撮影モードに設定可能である。撮影者等は、絞りリング４０の文字［２］〜［１１］のいずれかを指標３３と一致させた状態で、シャッタースピード設定ダイヤル３１をマニュアル設定可能な位置に合わせると、マニュアル撮影モードに設定可能である。
【００８４】
以下、４つの露出設定モードの内、プログラム撮影モードと、シャッタースピード優先撮影モードとを総称してオート絞りモードという。また、以下、絞り優先撮影モードと、マニュアル撮影モードとを総称してマニュアル絞りモードという。
【００８５】
絞りリニアセンサ４１は、回転角度に応じた信号を絞り制御部２７へ出力する。絞りリング４０の文字［Ａ］を指標３３と一致させた状態にあるとき、レリーズボタン３０が操作されると、絞り制御部２７は、絞りリニアセンサ４１から受信した信号に基づいて露出設定モードがオート絞りモードであることを判断する。判断した結果は、レンズマイコン２０、ボディーマイコン１２へ送信される。
【００８６】
また、シャッタースピード設定ダイヤル３１は、回転角度に応じた信号をボディーマイコン１２へ出力する。ボディーマイコン１２は、絞り制御部２７から受信した判断結果と、シャッタースピード設定ダイヤル３１からの信号とに基づいて、露出設定モードがオート絞りモードであることを認識する。
【００８７】
ボディーマイコン１２は、デジタル信号処理部５３へ指令を送信する。デジタル信号処理部５３は、受信した指令に基づいて所定のタイミングで画像信号をボディーマイコン１２へ送信する。ボディーマイコン１２は、受信した画像信号に基づいて露出値を演算する。ボディーマイコン１２は、露出設定モードがプログラム撮影モードである場合、調整可能な絞り値とシャッタースピードとから適切な組み合わせを演算する。ボディーマイコン１２は、露出設定モードがシャッタースピード優先撮影モードである場合、設定されたシャッタースピードに対する適切な絞り値を演算する。
【００８８】
ボディーマイコン１２は、演算結果に基づいて制御信号を生成する。ボディーマイコン１２は、演算された絞り値に基づく制御信号を、交換レンズ２側のレンズマイコン２０を介して絞り制御部２７へ送信する。ボディーマイコン１２は、露出設定モードがプログラム撮影モードである場合、演算されたシャッタースピードに基づく制御信号をシャッター制御部１４へ送信する。ボディーマイコン１２は、露出設定モードがシャッタースピード優先撮影モードである場合、シャッタースピード設定ダイヤル３１により設定されたシャッタースピードの内容をシャッター制御部１４へ送信する。
【００８９】
併せて、ボディーマイコン１２は、画像表示制御部１５に制御信号を送信する。画像表示制御部１５は、表示モニタ１６を駆動する。表示モニタ１６は、制御信号の内容がプログラム設定モードを指示するものであるとき、露出設定モードがプログラム撮影モードである旨の表示を行う。表示モニタ１６は、制御信号の内容がシャッター優先モードを指示するものであるとき、露出設定モードがシャッタースピード優先モードである旨の表示を行う。
【００９０】
絞り制御部２７は、レンズマイコン２０からの制御信号に基づいて絞り駆動モータ２８ｂを駆動するための駆動信号を生成する。絞り駆動モータ２８ｂは、駆動信号に基づいて駆動される。絞り駆動モータ２８ｂの駆動により、絞り羽根２８ａが駆動される。
【００９１】
シャッター制御部１４は、ボディーマイコン１２からの制御信号に基づいてシャッター駆動モータ１０ａを駆動するための駆動信号を生成する。シャッター駆動モータ１０ａは、駆動信号に基づいて駆動される。シャッター駆動モータ１０ａの駆動により、シャッターユニット１０が駆動される。
【００９２】
以上のようにして、デジタルカメラ１のオート絞りモードによる露出設定が行われる。以上の動作は、撮影者等のレリーズボタン３０の操作後、瞬時に実行される。
【００９３】
ボディーマイコン１２は、撮影が終了すると、画像記録制御部１７に制御信号を送信する。画像読み出し／記録部１８は、画像記録制御部１７の指令に基づいて、画像信号を内部メモリ及び／又はリムーバブルメモリに記録する。
【００９４】
画像読み出し／記録部１８は、画像記録制御部１７の指令に基づいて、制御信号の内容がプログラム設定モードを指示するものであるとき、画像信号とともに露出設定モードがプログラム撮影モードである旨の情報を内部メモリ及び／又はリムーバブルメモリに記録する。画像読み出し／記録部１８は、画像記録制御部１７の指令に基づいて、制御信号の内容がシャッター優先モードを指示するものであるとき、画像信号とともに露出設定モードがシャッタースピード優先モードである旨の情報を内部メモリ及び／又はリムーバブルメモリに記録する。
【００９５】
次に、絞りリング４０の文字［２］〜［１１］のいずれかの位置を指標３３と一致させた状態にあるとき、レリーズボタン３０が操作されると、絞り制御部２７は、絞りリニアセンサ４１から受信した信号に基づいて露出設定モードがマニュアル絞りモードであることを判断する。判断した結果は、レンズマイコン２０へ送信される。また、シャッタースピード設定ダイヤル３１は、回転角度に応じた信号をボディーマイコン１２へ出力する。ここで、例えば、絞りリング４０の文字［２］と［２．８］の中間位置と、指標３３とが一致したような場合には、先ほど説明したように、絞り値はＦ２、Ｆ２．８のいずれでもない不感帯である。つまり図１０に示すように、Ｆ２のＡ／Ｄ変換値の回転角度許容範囲（１２〜７２）、Ｆ２．８のＡ／Ｄ変換値の回転角度許容範囲（１１２〜２１２）のいずれでもない場合には、撮影者等に対して、表示モニタ１６上に、例えば「絞りリングの位置がずれています！」などのメッセージを表示させるようにしてもよい。
【００９６】
ボディーマイコン１２は、絞り制御部２７から受信した判断結果と、シャッタースピード設定ダイヤル３１からの信号とに基づいて、露出設定モードがマニュアル絞りモードであることを認識する。
【００９７】
レンズマイコン２０は、絞り制御部２７へ絞りリング４０の回転角度より検出した絞り値情報を要求する。絞り制御部２７は、レンズマイコン２０からの指令に基づいて絞りリング４０の回転角度より検出した絞り値情報を、レンズマイコン２０、ボディーマイコン１２へ送信する。ボディーマイコン１２は、露出設定モードが絞り優先撮影モードである場合、デジタル信号処理部５３へ指令を送信する。デジタル信号処理部５３は、受信した指令に基づいて所定のタイミングで画像信号をボディーマイコン１２へ送信する。
【００９８】
ボディーマイコン１２は、露出設定モードが絞り優先撮影モードである場合、受信した画像信号に基づいてシャッタースピードを演算する。ボディーマイコン１２は、露出設定モードが絞り優先撮影モードである場合、検出された絞り値に対する適切なシャッタースピードを演算する。ボディーマイコン１２は、露出設定モードが絞り優先撮影モードである場合、演算結果に基づいて制御信号を生成する。ボディーマイコン１２は、露出設定モードが絞り優先撮影モードである場合、演算されたシャッタースピードに基づく制御信号をシャッター制御部１４へ送信する。ボディーマイコン１２は、露出設定モードがマニュアル撮影モードである場合、シャッタースピード設定ダイヤル３１により設定されたシャッタースピードの内容をシャッター制御部１４へ送信する。
【００９９】
併せて、ボディーマイコン１２は、画像表示制御部１５に制御信号を送信する。画像表示制御部１５は、表示モニタ１６を駆動する。表示モニタ１６は、制御信号の内容が絞り優先撮影モードを指示するものであるとき、露出設定モードが絞り優先撮影モードである旨の表示を行う。表示モニタ１６は、制御信号の内容がマニュアル撮影モードを指示するものであるとき、露出設定モードがマニュアル撮影モードである旨の表示を行う。
【０１００】
絞り制御部２７は、レンズマイコン２０からの制御信号に基づいて絞り駆動モータ２８ｂを駆動するための駆動信号を生成する。絞り駆動モータ２８ｂは、駆動信号に基づいて駆動される。絞り駆動モータ２８ｂの駆動により、絞り羽根２８ａが駆動される。シャッター制御部１４は、ボディーマイコン１２からの制御信号に基づいてシャッター駆動モータ１０ａを駆動するための駆動信号を生成する。シャッター駆動モータ１０ａは、駆動信号に基づいて駆動される。シャッター駆動モータ１０ａの駆動により、シャッターユニット１０が駆動される。
【０１０１】
以上のようにして、デジタルカメラ１のマニュアル絞りモードによる露出設定が行われる。以上の動作は、撮影者等のレリーズボタン３０の操作後、瞬時に実行される。
【０１０２】
ボディーマイコン１２は、撮影が終了すると、画像記録制御部１７に制御信号を送信する。画像読み出し／記録部１８は、画像記録制御部１７の指令に基づいて、画像信号を内部メモリ及び／又はリムーバブルメモリに記録する。
【０１０３】
画像読み出し／記録部１８は、画像記録制御部１７の指令に基づいて、制御信号の内容が絞り優先モードを指示するものであるとき、画像信号とともに露出設定モードが絞り優先モードである旨の情報を内部メモリ及び／又はリムーバブルメモリに記録する。画像読み出し／記録部１８は、画像記録制御部１７の指令に基づいて、制御信号の内容がマニュアル撮影モードを指示するものであるとき、画像信号とともに露出設定モードがマニュアル撮影モードである旨の情報を内部メモリ及び／又はリムーバブルメモリに記録する。
【０１０４】
以上のように本実施の形態によれば、絞りリングの絞り値の設定、及び記憶を行う際に、２点の検出値を用いるだけで、すべての絞り値を自動的に設定できるので、工場での絞りリングの回転角度調整方法が容易となり、さらには検出センサの小型化により絞りリングの小型化を図ることが可能となる。また、絞りリングの回転方向のステップ数を大きくすることが可能となるため、より詳細な絞り値の切り替えが可能となる。
【０１０５】
なお、本実施の形態においては、絞り値の値をＦ２からＦ１１までとしたが、その値に限定されるものではなく、例えばＦ２２までなどにも対応することが可能である。また、ステップ数も、１／３ＡＶステップなど、より細かいステップ数に対応できることは言うまでもない。
【産業上の利用可能性】
【０１０６】
本発明は、操作性がよく部品点数が削減されたデジタルカメラを提供することができる。また、本発明の交換レンズを用いた撮像装置を、携帯電話端末やＰＤＡ（Ｐｅｒｓｏｎａｌ  Ｄｉｇｉｔａｌ  Ａｓｓｉｓｔ）などのモバイル機器に適用することにより、これらの機器に、操作性がよく部品点数が削減されたデジタルカメラを組み込むことができる。
【図面の簡単な説明】
【０１０７】
【図１】本発明の実施の形態１に係る交換レンズとデジタルカメラ本体の制御システムを示すブロック図
【図２】本発明の実施の形態１に係るファインダ撮影モードを説明する概念図
【図３】本発明の実施の形態１に係るデジタルカメラの上面図
【図４】本発明の実施の形態１に係るデジタルカメラの背面図
【図５】（ａ）は、本発明の実施の形態１に係る絞りリングの外周面の展開図、（ｂ）は、本発明の実施の形態１に係る絞りリングの内周面の展開図
【図６】本発明の実施の形態１に係る絞りリングと絞りリニアセンサの結合を示す断面図
【図７】（ａ）は、本発明の実施の形態１のレンズ鏡筒の絞りリニアセンサの回路図、（ｂ）は、本発明の実施の形態１のレンズ鏡筒の絞りリニアセンサの出力を表すグラフ
【図８】本発明の実施の形態１に係る絞りリングの回転角度と絞りリニアセンサの出力値の関係を示すグラフ
【図９】（ａ）は、本発明の実施の形態１に係るフォーカスリングが第１の停止位置にある場合の略断面図、（ｂ）は、本発明の実施の形態１に係るフォーカスリングが第１の停止位置と第２の停止位置との間にある場合の略断面図、（ｃ）は、本発明の実施の形態１に係るフォーカスリングが第２の停止位置にある場合の略断面図
【図１０】本発明の実施の形態１に係る交換レンズの絞りリング出力値とＡ／Ｄ変換値の関係を示す図
【図１１】本発明の実施の形態１に係る交換レンズの絞りリングの絞り値の設定方法を説明するフローチャート
【図１２】本発明の実施の形態１に係るデジタルカメラ内の制御システムを示すブロック図
【図１３】本発明の実施の形態１に係る交換レンズ内の制御システムを示すブロック図
【符号の説明】
【０１０８】
Ｌ  撮影光学系
Ｘ  光路
１  デジタルカメラ
２  交換レンズ
４  クイックリターンミラー
５  焦点検出用ユニット
６  ファインダースクリーン
７  ペンタプリズム
８  接眼レンズ
９  ファインダ接眼窓
１０  シャッターユニット
１１  撮像センサ
１２  ボディーマイコン
１３  撮像センサ制御部
１４  シャッター制御部
１５  画像表示制御部
１６  表示モニタ
１７  画像記録制御部
１８  画像読み出し／記録部
１９  ファインダ光学系
２０  レンズマイコン
２１  レンズマウント
２３  ボディーマウント
２５  フォーカスレンズ群
２６  フォーカス制御部
２７  絞り制御部
２８  絞りユニット
２８ａ  絞り羽根
２８ｂ  絞り駆動モータ
３０  レリーズボタン
３１  シャッタースピード設定ダイヤル
３３  指標
３７  フィルタマウント
３８  ズームリング
３９  フォーカスリング
４０  絞りリング
４１  絞りリニアセンサ
４１ａ  摺動子
４２  カム溝
４３  絞りモード切り替えボタン
５１  アナログ信号処理部
５２  Ａ／Ｄ変換部
５３  デジタル信号処理部
５４  バッファメモリ
５６  画像圧縮部
６０  ズームリニアセンサ
６１，６４，６７  Ａ／Ｄ変換部
６２  ズーム制御部
６３  フォーカスリニアセンサ
６５  フォーカス駆動モータ
６８，６９  メモリ
７０  電源ボタン
７１  撮影／再生モード切り替えレバー
７２  ＭＥＮＵボタン
７３  十字操作キー
７４  ＳＥＴボタン
７５  撮影モード切り替えボタン
７６  絞込みモードボタン
７７  機能ボタン（１）
７８  機能ボタン（２）
７９  クイックリターンミラー制御部
８０  クイックリターンミラー駆動モータ
【図１】
2008026526.tif 000003
【図２】
2008026526.tif 000004
【図３】
2008026526.tif 000005
【図４】
2008026526.tif 000006
【図５】
2008026526.tif 000007
【図６】
2008026526.tif 000008
【図７】
2008026526.tif 000009
【図８】
2008026526.tif 000010
【図９】
2008026526.tif 000011
【図１０】
2008026526.tif 000012
【図１１】
2008026526.tif 000013
【図１２】
2008026526.tif 000014
【図１３】
2008026526.tif 000015